(57)【要約】【課題】バス空間とトイレ空間をそれぞれ別個に設け、且つそれ以外の空間を無駄のない長方形の空間として、大き目の寝台も収容可能とする。【解決手段】多数個の居室空間を有する集合型宿泊施設において、隣り合うふたつの居室１・１の境界側に、ふたつのトイレ空間５・５を並べる。トイレ空間５・５の幅方向半分づつを隣り合うふたつの居室１・１空間へ均等に出っ張らせ、隣り合わせたふたつの居室のいずれかから別々に出入り可能とする。前記したふたつのトイレ空間５・５に向き合わせて、居室１への出入り口２を挟んで反対側の壁側に、それぞれバス空間８を設ける。寝台空間１３は、ほぼ方形状の無駄の無いスペースとなって、ダブルベッド１４も収容可能となる。【選択図】図１
0003138918.tif 000002
【実用新案登録請求の範囲】
【請求項１】
多数個の居室空間を有する集合型宿泊施設において、
隣り合うふたつの居室の境界側に、ふたつのトイレ空間を、居室の奥行き方向に並べるとともに、トイレ空間の幅方向半分づつを隣り合うふたつの室内空間へ均等に出っ張らせ、
その並べたトイレ空間へは、隣り合わせたふたつの居室のいずれかから別々に出入り可能とし、
前記したふたつのトイレ空間に向き合わせて、居室への出入り口を挟んで居室の巾方向の反対側の壁側に、それぞれバス空間を、隣り合わせた居室の境界側とは反対側の壁側に設け、
出入り口から向かって室内奥の寝台空間には、幅１４００ｍｍ以上の寝台を配置してなる、
バス空間とトイレ空間を別個に備えた集合型宿泊施設の居室。
【請求項２】
隣り合う居室の境界側であって、出入り口から向かってトイレ空間の室内奥側に、トイレ空間の室内空間への出っ張り分にテーブルを配置してなる、
請求項１記載のバス空間とトイレ空間を別個に備えた集合型宿泊施設の居室。
【請求項３】
居室空間の広さは、それぞれ１４ｍ2以下であることを特徴とする、
請求項１又は２記載のバス空間とトイレ空間を別個に備えた集合型宿泊施設の居室。
【考案の詳細な説明】
【技術分野】
【０００１】
本考案は、ホテルや寮などとして使用する集合型宿泊施設に関するもので、特に各居室がバスとトイレを別個に備えている集合型宿泊施設の居室に関するものである。
【背景技術】
【０００２】
ホテルや寮などとして使用される宿泊施設は、それぞれの居室が、個別のプライバシー空間として使用されるものである。
従って、各居室が個別にトイレやバスを有することが望ましい。
しかしながら、宿泊者を多くするには、出来るだけ各部屋が占める面積を小さくして、多数の居室を、ひとつのフロアに設けることが望まれる。
その手段として、トイレ空間とバス空間を一つにしたユニット形式のバスを使用することが広く採用されている。
このようにバスとトイレを一つの共用空間の中に設けることで、出来る限りその他の空間を大きく取ることが可能となるものである。
【０００３】
しかしながら、このようなバス空間とトイレ空間が一つとなったユニット形式のバスでは、バスタブもトイレも標準よりも小さ目のものが使用されており、ゆったりとした姿勢で入浴や洗面などが行えないという不満があった。
他方、宿泊者の中には、バスとトイレが同じ空間にあるというのには、衛生面でどうにも馴染めない人もいる。
出来れば、バスとトイレは別のスペースに配置して、バスからはトイレが、トイレからバスが見えないようにすることが望ましい。
しかしながら、トイレとバスを別々の空間にすると、部屋の空間をそれだけ広く占めてしまうもので、寝室や簡易の執務室などとしての空間が大きく取れないという課題ともなっていた。
寝室としての空間を大きく取れないということは、所謂ダブルなどと呼ばれる大き目の寝台を居室内に設けることを、非常に困難にしていた。
【特許文献１】実開平６−８２３０４号公報
【考案の開示】
【考案が解決しようとする課題】
【０００４】
解決しようとする課題は、出来る限り小さな居室でありながら、バス空間とトイレ空間を別個に備え、それぞれの空間を充分確保するとともに、ダブルベッドなどと呼ばれる大き目の寝台を収納することである。
【課題を解決するための手段】
【０００５】
この考案にかかるバス空間とトイレ空間を別個に備える集合型宿泊施設の居室は、
多数個の居室空間を有する集合型宿泊施設において、
多数個の居室空間を有する集合型宿泊施設において、
隣り合うふたつの居室の境界側に、ふたつのトイレ空間を、居室の奥行き方向に並べるとともに、トイレ空間の幅方向半分づつを隣り合うふたつの室内空間へ均等に出っ張らせ、
その並べたトイレ空間へは、隣り合わせたふたつの居室のいずれかから別々に出入り可能とし、
前記したふたつのトイレ空間に向き合わせて、居室への出入り口を挟んで居室の巾方向の反対側の壁側に、それぞれバス空間を設け、
出入り口から向かって室内奥の寝台空間には、幅１４００ｍｍ以上の寝台を配置するものである。
また、本考案にかかるバス空間とトイレ空間を別個に備えた集合型宿泊施設の居室は、
隣り合う居室の境界側であって、出入り口から向かってトイレ空間の室内奥側に、トイレ空間の室内空間への出っ張り分にテーブルを配置するものである。
各居室の広さは、１４ｍ2以下であることを特徴とする。
【考案の効果】
【０００６】
この考案は以上のような構成を有するため、以下の効果を得ることが可能である。
＜ａ＞バス空間を、隣り合うふたつの居室の境界側に、居室の奥行き方向にふたつ並べて配置し、その並べたバス空間へは、隣り合わせたふたつの居室のいずれかから別々に出入り可能にした。
従って、境界側に設けたふたつのバス空間を並べて、居室の他の空間は無駄の出ないほぼ方形の空間とすることができ、空間を効率的に使用可能となり、出来る限り狭い空間を有効に活用できることになる。
＜ｂ＞バス空間とトイレ空間を別個にして居室の中に設けたため、衛生的にも、感覚的にも、心地良い滞在空間となる。
＜ｃ＞バス空間とトイレ空間を別個に設けたため、バスタブや便器も比較的大きなサイズを使用でき、入浴、洗面、排便時の使用において、ゆとりのある空間となる。
＜ｄ＞入浴中にトイレ便器が視覚に入ることがないので、快適な入浴が可能となる。
＜ｅ＞ふたつのトイレ空間を、隣り合うふたつの居室の境界側に並べて配置し、各居室のバス空間を、居室の巾方向の反対側の壁側に設けた相対させたため、バス空間とトイレ空間以外の寝台空間として、ほぼ四角形の効率的な空間が確保されることになる。
従って、その寝台空間に、いわゆるダブルベッドと呼ばれる大き目の寝台も収納可能であって、全ての空間を効率的に有効活用し、１４ｍ2以下という極小の居室スペースでありながら、バス・トイレ・寝台の全ての空間を大きく確保することができる。
＜ｆ＞境界側のトイレ空間の奥にテーブルを据え付けたため、デッドスペースとすることなく、有効に執務空間として活用できる。
【考案を実施するための最良の形態】
【０００７】
＜１＞集合型構造
図１に示すのは、集合型宿泊施設の隣り合うふたつの居室１・１を示すものである。
居室１は、共有空間の廊下から出入りするドア２から入室し、建物屋外に向って設けた窓３が一番奥となる。
各居室１の幅Ｌ１は、３２００ｍｍであって、奥行きＬ２は４３００ｍｍとなっている。
【０００８】
＜２＞トイレ空間
隣り合う居室１・１の、境界側、すなわちふたつの居室１・１を仕切る側には、仕切り壁４によって、トイレ空間５・５が設けられている。
トイレ空間５・５は、居室１・１の奥行き方向、つまりは居室１のドア２側から部屋奥の窓３方向に、並べて設けられている。
仕切り壁３は、図１の平面図では、逆Ｓ字形状に形成されており、隣り合うふたつの居室１・１から、それぞれ別のトイレ空間５へ出入り可能である。
トイレ空間５の中には、便器６がそれぞれその前後が居室１の奥行方向となるよう配置されている。
またトイレ空間５・５は、隣り合うふたつの居室１・１側へその巾の半分づつが均等に出っ張るように配置されている。
トイレ空間５への出入り口には、引き戸１５が配置された。
【０００９】
＜３＞執務空間
ふたつのトイレ空間５・５が、居室１・１の境界側において、奥行き方向に並べるとともに、その更に奥には、テーブル７をそれぞれ壁４に向かって配置してある。
これにより隣り合う居室１・１の境界側をデッドスペースとすることなく、有効に執務空間として利用することができる。
テーブル７の前には椅子１２を置く。
【００１０】
＜４＞バス空間
前記したトイレ空間５に向き合わせて、居室１への出入り口２を挟んで、居室１の巾方向の反対側の壁側に、それぞれ平面が方形状となるバス空間８を、隣り合わせた居室の境界側とは反対側の壁側に設ける。
バス空間８には、それぞれ個別にバスタブ９と洗面台１０が設置されている。
洗面台１０は人口大理石カウンター上に取り付けられている。
バスタブ９は、その長手方向が、居室１の奥行き方向となるように設置し、すなわち最も部屋奥側の一番幅が大きな部分に、バスタブ９が収まることになる。
実施の形態では、１３５０ｍｍ以上の長さのバスタブ９が収納できた。
バス空間８の開口部には、それぞれ強化ガラス製のドア１１が設けられており、室内空間をより広く見せる工夫がなされている。
【００１１】
＜６＞寝台空間
居室１内のトイレ空間５とバス空間８以外の空間には、寝台空間１３が設けられる。
前記したように、ふたつの居室１・１の境界側にふたつのトイレ空間５・５が収められ、更にその反対側の出入り口側にバス空間８を設けたため、寝台空間１３は、ほぼ四角形の使い易い空間となって、有効活用できることになり、実施例では１３・７６ｍ2の空間に、前記したトイレ空間５とバス空間８とテーブル７と、寝台空間１３や通路空間を確保可能となった。
実施例では、その寝台空間１３の中に、幅Ｗ１４００ｍｍ、長さＴ２０００ｍｍのいわゆるダブルベッド１４が収容出来た。
ベッド１４の周囲のサイズにも余裕があり、ベッド１４の左右の壁までのクリアランスＣ１，Ｃ２は、それぞれ５５０ｍｍ以上空けることが出来た。
ベッド１４の足元からバス空間８の壁までのクリアランスＣ３も、４７５ｍｍ以上確保した。
【図面の簡単な説明】
【００１２】
【図１】ダブルベッドを収容した居室の平面図である。
【図２】図１の実施例の居室の概観図である。
【００１３】
１：居室
２：ドア
３：窓
４：仕切り壁
５：トイレ空間
６：便器
７：テーブル
８：バス空間
９：バスタブ
１０：洗面台
１１：ドア
１２：椅子
１３：寝台空間
１４：ベッド
１５：引き戸
【図１】
0003138918.tif 000003
【図２】
0003138918.tif 000004